(57)【特許請求の範囲】
【請求項１】
無線回線を通して複数の移動機を収容し、呼接続を制御する移動通信システムの無線基地局において、
有線回線を通して複数の無線基地局を制御し前記移動機の相手先との通信を仲介する無線基地局制御局との接続を制御する回線制御手段と、
無線周波数信号で前記各移動機と通信を行う無線送受信手段と、
前記各移動機の呼接続ごとにそれぞれ割当てられ、前記無線送受信手段に対する無線区間の信号と前記回線制御手段に対する有線区間の信号との相互変換を行う複数の無線通信モデムと、
前記各無線通信モデムごとに受信したフレームの内容と比較し障害を検出するための障害検出比較データを記憶した障害検出比較データ記憶手段と、
前記各無線通信モデムごとに受信したフレームの総数を計数するための総受信フレーム計数手段と、
前記障害検出比較データに基づいて前記各無線通信モデムごとに受信したフレームのうちの障害を検出したフレーム数を計数するための障害検出フレーム計数手段と、
前記各無線通信モデムごとに当該無線通信モデムの障害を判定するための前記総受信フレームに対する前記障害検出フレーム数の割合の上限値であるモデム障害検出しきい値を記憶したモデム障害検出しきい値記憶手段と、
前記各無線通信モデムを監視し、呼接続終了時に、当該無線通信モデムの前記総受信フレームに対する前記障害検出フレーム数の割合を算出し前記モデム障害検出しきい値と比較し、前記モデム障害検出しきい値を越えた場合に障害が発生していると判断して当該無線通信モデムの自動復旧処理を行わせる中央制御手段とを備えることを特徴とする無線基地局。
【請求項２】
プリント配線基板にコネクタを配し無線基地局本体に着脱自在なカードに、前記複数の無線通信モデムをそれぞれ所定数単位で搭載して構成した複数の信号変換カードと、
前記各無線通信モデムごとに障害を自動復旧させるために行うリセット回数を計数するためのモデム別リセット回数計数手段と、
前記各無線通信モデムごとのリセット回数上限値である最大リセット回数しきい値を記憶した最大リセット回数しきい値記憶手段と、
前記信号変換カードごとに使用不可とされた無線通信モデム数を計数するためのカード別使用不可モデム計数手段と、
前記各信号変換カードの交換を促すかどうか判定するための前記信号変換カードごとに使用不可とされた無線通信モデム数の上限値であるカード交換用報告しきい値を記憶したカード交換用報告しきい値記憶手段とを備え、
前記中央制御手段が、前記障害を自動復旧させるために行うリセット回数が前記最大リセット回数しきい値を越えた無線通信モデムを使用不可とし、前記使用不可とされた無線通信モデムの前記移動機に対する割当てを行わないと共に、該当信号変換カードの使用不可とされた無線通信モデム数を前記カード交換用報告しきい値と比較し、前記カード交換用報告しきい値を越えた場合に、前記回線制御手段及び前記無線基地局制御装置を通して保守者に対する該当信号変換カードの交換を促すメッセージを送出することを特徴とする請求項１記載の無線基地局。
【請求項３】
前記障害検出比較データと、前記モデム障害検出しきい値と、前記最大リセット回数しきい値と、前記カード交換用報告しきい値とを含む運用パラメータを、無線基地局制御装置からダウンロードし、任意に変更可能としたことを特徴とする請求項２記載の無線基地局。
【請求項４】
有線回線を通した無線基地局制御局の制御の下、無線回線を通して複数の移動機の呼接続を制御する移動通信システムの無線基地局における、前記各移動機の呼接続ごとにそれぞれ割当てられ、無線区間の信号と有線区間の信号との相互変換を行う複数の無線通信モデムの障害復旧方法において、
前記各無線通信モデムごとに受信したフレームの内容と比較し障害を検出するための障害検出比較データと、前記各無線通信モデムごとに当該無線通信モデムの障害を判定するための総受信フレームに対する障害検出フレーム数の割合の上限値であるモデム障害検出しきい値とを、あらかじめ記憶しておき、
前記各無線通信モデムごとに、フレームを受信すると、受信したフレームの総数を計数するとともに、前記障害検出比較データに基づいて障害があるか判定し、障害があれば障害を検出したフレーム数を計数し、
前記各無線通信モデムの呼接続終了時に、当該無線通信モデムの総受信フレームに対する障害検出フレーム数の割合を算出し前記モデム障害検出しきい値と比較し、前記モデム障害検出しきい値を越えた場合に障害が発生していると判断して当該無線通信モデムの自動復旧処理を行なうことを特徴とする無線通信モデムの障害復旧方法。
【請求項５】
プリント配線基板にコネクタを配し無線基地局本体に着脱自在なカードに、前記複数の無線通信モデムをそれぞれ所定数単位で搭載して構成した複数の信号変換カードの交換を促すかどうか判定するための前記信号変換カードごとに使用不可とされた無線通信モデム数の上限値であるカード交換用報告しきい値と、前記各無線通信モデムごとのリセット回数上限値である最大リセット回数しきい値とを、あらかじめ記憶しておき、
前記各無線通信モデムごとに障害を自動復旧させるために行うリセット回数を計数し、
前記障害を自動復旧させるために行うリセット回数が前記最大リセット回数しきい値を越えた無線通信モデムを使用不可とし、前記使用不可とされた無線通信モデムの前記移動機に対する割当てを行わないと共に、前記信号変換カードごとに使用不可とされた無線通信モデム数を計数して前記カード交換用報告しきい値と比較し、
前記カード交換用報告しきい値を越えた場合に、前記無線基地局制御装置を通して保守者に対する該当信号変換カードの交換を促すメッセージを送出することを特徴とする請求項４記載の無線通信モデムの障害復旧方法。
【請求項６】
前記障害検出比較データと、前記モデム障害検出しきい値と、前記最大リセット回数しきい値と、前記カード交換用報告しきい値とを含む運用パラメータを、前記無線基地局制御装置からダウンロードし、任意に変更可能としたことを特徴とする請求項５記載の無線通信モデムの障害復旧方法。
【請求項７】
システムの保守者が管理する保守監視卓と、
前記保守監視卓に有線で接続された複数の無線基地局制御局と、
複数の移動機と、
無線区間の信号と有線区間の信号との相互変換を行う無線通信モデムを所定数搭載した複数の信号変換カードを有し、有線回線を通した前記基地局制御局の制御の下、無線回線を通して前記複数の移動機の呼接続を制御する複数の請求項２記載の無線基地局とを備え、
前記各無線基地局が、自無線基地局内の前記各無線通信モデムの呼接続終了時に障害検出処理を行い、障害を検出した無線通信モデムの自動復旧を図り、障害が復旧しない無線通信モデムの呼接続処理への割当てを不可とし、前記各信号変換カードごとに発生している障害無線通信モデム数がある一定以上の値に達したら、該当信号変換カードの交換を促すメッセージを前記無線基地局制御局を通して前記保守監視卓へ送出することを特徴とする移動通信システム。
【請求項８】
前記前記各無線基地局を動作させるための制御プログラムと、前記障害検出比較データ，前記モデム障害検出しきい値，前記最大リセット回数しきい値，及び前記カード交換用報告しきい値を含む運用パラメータとを、前記無線基地局制御装置からダウンロードすることを特徴とする請求項７記載の移動通信システム。
【発明の詳細な説明】
【０００１】
【発明の属する技術分野】
本発明は、移動通信システムにおける移動機との通信を行うための無線通信モデムを搭載した無線基地局と、その無線通信モデムの障害復旧方法と、それらを用いた移動通信システムとに関する。
【０００２】
【従来の技術】
一般的な移動通信システム（例えば、ＣＤＭＡ方式の移動通信システム）の構成について図１〜図２を用いて説明する。
【０００３】
図１を参照すると、１つの保守監視卓１には複数の無線基地局制御局２（２−１，２−２）が接続され、１つの無線基地局制御局２には複数の無線基地局３（３−１，３−２，３−３）が接続され、１つの無線基地局３には複数の移動機４（４−１，４−２，４−３，４−４，４−５，４−６）が存在する構成となっている。保守監視卓１と各無線基地局制御局２間は有線で接続され、各無線基地局制御局２と各無線基地局３の間は有線で接続され、各無線基地局３と各移動機４の間は無線区間となっている。
【０００４】
図２を参照すると、各無線基地局３は無線通信サービスを提供するエリアを複数（図では３つ）のセクタａ，ｂ，ｒに分けて、各セクタ単位で各移動機４と無線区間の信号送受信を行う構成となっている。
【０００５】
各無線基地局３は、セクタ及び周波数単位で移動機４と無線通信を行うための複数の無線送受信機と、無線送受信機を通した移動機４に対する各通話チャネル信号の信号変換処理（ＣＤＭＡ方式における変調（拡散）、復調（逆拡散）処理）をそれぞれ行う無線通信モデムを複数有する信号変換部とを備えている。この信号変換部は、コネクタを介して本体装置に着脱自在とされたカード構成を成している。すなわち、信号変換部の１カードで、無線通信モデムを搭載している数分の移動機４と呼接続が行える。
【０００６】
このような移動通信システムの無線基地局３に搭載される無線通信モデムの状態は、無線基地局制御局２が、呼接続失敗の度に、呼接続失敗要因と失敗時に割り当てた無線通信モデムの番号とを保守監視卓１へ出力することにより、保守者が認識可能としている。
【０００７】
【発明が解決しようとする課題】
上述した従来のシステムでは、呼接続失敗要因が無線区間の影響によるものなのか、無線通信モデムの障害による呼接続失敗なのか判断するのが難しいのと、保守監視卓には複数の無線基地局が接続されており、各無線基地局で起きた呼接続失敗要因が多数報告されてくるので、保守者が無線通信モデムの障害状況を把握するまでに時間が掛かってしまうという問題点があった。
【０００８】
また、無線通信モデムで本当に障害が起きているのかどうか特定するのに複数回の呼接続を行わないと判断できないため、無線通信モデムに障害が起きている状態にも関わらず、該当の無線通信モデムを使って呼接続を行ってしまうという問題点があった。
【０００９】
本発明の目的は、無線通信モデムの障害発生時に、復旧処理を速やかに行い、無線リソース数の減少を早期に解消することを可能とする移動通信システム、及びそれに用いる無線基地局とその無線通信モデムの障害復旧方法を提供することにある。
【００１０】
【課題を解決するための手段】
本発明の請求項１に係る無線基地局は、無線回線を通して複数の移動機を収容し、呼接続を制御する移動通信システムの無線基地局において、有線回線を通して複数の無線基地局を制御し前記移動機の相手先との通信を仲介する無線基地局制御局との接続を制御する回線制御手段と、無線周波数信号で前記各移動機と通信を行う無線送受信手段と、前記各移動機の呼接続ごとにそれぞれ割当てられ、前記無線送受信手段に対する無線区間の信号と前記回線制御手段に対する有線区間の信号との相互変換を行う複数の無線通信モデムと、前記各無線通信モデムごとに受信したフレームの内容と比較し障害を検出するための障害検出比較データを記憶した障害検出比較データ記憶手段と、前記各無線通信モデムごとに受信したフレームの総数を計数するための総受信フレーム計数手段と、前記障害検出比較データに基づいて前記各無線通信モデムごとに受信したフレームのうちの障害を検出したフレーム数を計数するための障害検出フレーム計数手段と、前記各無線通信モデムごとに当該無線通信モデムの障害を判定するための前記総受信フレームに対する前記障害検出フレーム数の割合の上限値であるモデム障害検出しきい値を記憶したモデム障害検出しきい値記憶手段と、前記各無線通信モデムを監視し、呼接続終了時に、当該無線通信モデムの前記総受信フレームに対する前記障害検出フレーム数の割合を算出し前記モデム障害検出しきい値と比較し、前記モデム障害検出しきい値を越えた場合に障害が発生していると判断して当該無線通信モデムの自動復旧処理を行わせる中央制御手段とを備える。
【００１１】
本発明の請求項２に係る無線基地局は、請求項１に係る無線基地局において、プリント配線基板にコネクタを配し無線基地局本体に着脱自在なカードに、前記複数の無線通信モデムをそれぞれ所定数単位で搭載して構成した複数の信号変換カードと、前記各無線通信モデムごとに障害を自動復旧させるために行うリセット回数を計数するためのモデム別リセット回数計数手段と、前記各無線通信モデムごとのリセット回数上限値である最大リセット回数しきい値を記憶した最大リセット回数しきい値記憶手段と、前記信号変換カードごとに使用不可とされた無線通信モデム数を計数するためのカード別使用不可モデム計数手段と、前記各信号変換カードの交換を促すかどうか判定するための前記信号変換カードごとに使用不可とされた無線通信モデム数の上限値であるカード交換用報告しきい値を記憶したカード交換用報告しきい値記憶手段とを備え、前記中央制御手段が、前記障害を自動復旧させるために行うリセット回数が前記最大リセット回数しきい値を越えた無線通信モデムを使用不可とし、前記使用不可とされた無線通信モデムの前記移動機に対する割当てを行わないと共に、該当信号変換カードの使用不可とされた無線通信モデム数を前記カード交換用報告しきい値と比較し、前記カード交換用報告しきい値を越えた場合に、前記回線制御手段及び前記無線基地局制御装置を通して保守者に対する該当信号変換カードの交換を促すメッセージを送出する構成を有する。
【００１２】
本発明の請求項３に係る無線基地局は、前記障害検出比較データと、前記モデム障害検出しきい値と、前記最大リセット回数しきい値と、前記カード交換用報告しきい値とを含む運用パラメータを、無線基地局制御装置からダウンロードし、任意に変更可能とした構成を有する。
【００１３】
本発明の請求項４に係る無線通信モデムの障害復旧方法は、有線回線を通した無線基地局制御局の制御の下、無線回線を通して複数の移動機の呼接続を制御する移動通信システムの無線基地局における、前記各移動機の呼接続ごとにそれぞれ割当てられ、無線区間の信号と有線区間の信号との相互変換を行う複数の無線通信モデムの障害復旧方法において、前記各無線通信モデムごとに受信したフレームの内容と比較し障害を検出するための障害検出比較データと、前記各無線通信モデムごとに当該無線通信モデムの障害を判定するための総受信フレームに対する障害検出フレーム数の割合の上限値であるモデム障害検出しきい値とを、あらかじめ記憶しておき、前記各無線通信モデムごとに、フレームを受信すると、受信したフレームの総数を計数するとともに、前記障害検出比較データに基づいて障害があるか判定し、障害があれば障害を検出したフレーム数を計数し、前記各無線通信モデムの呼接続終了時に、当該無線通信モデムの総受信フレームに対する障害検出フレーム数の割合を算出し前記モデム障害検出しきい値と比較し、前記モデム障害検出しきい値を越えた場合に障害が発生していると判断して当該無線通信モデムの自動復旧処理を行なう工程を有する。
【００１４】
本発明の請求項５に係る無線通信モデムの障害復旧方法は、請求項４に係る無線通信モデムの障害復旧方法において、プリント配線基板にコネクタを配し無線基地局本体に着脱自在なカードに、前記複数の無線通信モデムをそれぞれ所定数単位で搭載して構成した複数の信号変換カードの交換を促すかどうか判定するための前記信号変換カードごとに使用不可とされた無線通信モデム数の上限値であるカード交換用報告しきい値と、前記各無線通信モデムごとのリセット回数上限値である最大リセット回数しきい値とを、あらかじめ記憶しておき、前記各無線通信モデムごとに障害を自動復旧させるために行うリセット回数を計数し、前記障害を自動復旧させるために行うリセット回数が前記最大リセット回数しきい値を越えた無線通信モデムを使用不可とし、前記使用不可とされた無線通信モデムの前記移動機に対する割当てを行わないと共に、前記信号変換カードごとに使用不可とされた無線通信モデム数を計数して前記カード交換用報告しきい値と比較し、前記カード交換用報告しきい値を越えた場合に、前記無線基地局制御装置を通して保守者に対する該当信号変換カードの交換を促すメッセージを送出する工程を有する。
【００１５】
本発明の請求項６に係る無線通信モデムの障害復旧方法は、請求項５に係る無線通信モデムの障害復旧方法において、前記障害検出比較データと、前記モデム障害検出しきい値と、前記最大リセット回数しきい値と、前記カード交換用報告しきい値とを含む運用パラメータを、前記無線基地局制御装置からダウンロードし、任意に変更可能とした工程を有する。
【００１６】
本発明の請求項７に係る移動通信システムは、システムの保守者が管理する保守監視卓と、前記保守監視卓に有線で接続された複数の無線基地局制御局と、前記各無線基地局制御局に有線で接続された複数の請求項２に係る無線基地局と、前記各無線基地局に無線で接続された複数の移動機とを備える。
【００１７】
本発明の請求項８に係る移動通信システムは、請求項７に係る移動通信システムにおいて、前記前記各無線基地局を動作させるための制御プログラムと、前記障害検出比較データ，前記モデム障害検出しきい値，前記最大リセット回数しきい値，及び前記カード交換用報告しきい値を含む運用パラメータとを、前記無線基地局制御装置からダウンロードする構成を有する。
【００１８】
【発明の実施の形態】
まず、本発明の概要を説明する。無線基地局の無線区間と有線区間の信号変換を行う信号変換部のカードに搭載された複数の無線通信モデムがそれぞれ受信したフレームの内容から、各無線通信モデムに障害が発生しているかどうかの判断を無線基地局側で行い、呼接続終了後に無線通信モデムに障害が起きていると認識した場合には該当無線通信モデムの自動復旧を図り、無線通信モデムの障害による呼接続不可状態の早期解消を行う。また、無線通信モデムの障害検出回数があるしきい値を超えた場合には該当無線通信モデムを使用不可とし、該当無線通信モデムへは発着呼用リソースの割り当てを行わないようにする。さらに、信号変換部のカード単位で障害が起きている無線通信モデムの合計があるしきい値を超えた場合には該当カードの交換を保守者へ促す。これにより、従来技術のように保守監視卓に表示される呼接続失敗要因と無線通信モデムの番号から障害が発生しているカードを特定するのではなく、交換対象のカードが明示されるので、無線通信用モデムのリソース数減少を早期かつ容易に解消することができる。
【００１９】
より具体的に説明すると、無線基地局の監視、制御を行っている中央監視制御部が無線基地局を立ち上げた後、無線通信モデム障害検出用の各種しきい値を含む運用パラメータを各信号変換部へ送信する。各信号変換部は受信した運用パラメータのうち、障害検出データで、無線通信用モデムごとの呼接続中の受信フレームの内容を確認し、総受信フレーム数と障害検出フレーム数のカウントを行う。呼接続終了時に、測定した総受信フレーム数と障害検出フレーム数の割合から無線通信モデムに障害が起きているかどうか判断し、障害が起きている場合には信号変換部は中央監視制御部へ報告する。中央監視制御部は該当無線通信モデムの復旧制御を信号変換部へ依頼し、該当無線通信モデムが復旧した場合には使用可能無線通信モデム群情報の該当無線通信モデムの状態を使用可能状態のままとし、次回割当て候補に登録する。無線通信モデムの障害が復旧しない場合には、使用可能無線通信モデム群情報の該当無線通信モデムの状態を使用不可状態とし、次回割当て候補から削除する。無線基地局が保有している無線通信モデムのリソース数が減るため、無線基地局制御局及び保守監視卓を介して保守者へカード交換を促し、無線リソース数の減少を早期に解消する。
【００２０】
また、運用パラメータは無線基地局制御局から無線基地局にダウンロードすることにより、障害検出用の各種しきい値を任意の値に変更することができる。
【００２１】
次に、本発明の実施の形態について図面を参照して詳細に説明する。
【００２２】
図１は本発明の移動通信システムの一実施の形態を示すシステム構成図である。システムの保守者が管理する１つの保守監視卓１には、複数（図示は２局）の無線基地局制御局２（２−１，２−２）が有線ネットワークを介して接続されている。各無線基地局制御局２には、複数（図示は３局）の無線基地局３（３−１，３−２，３−３）が有線ネットワークを介して接続されている。各無線基地局３の無線サービスエリアには、複数（図示は６機）のユーザ端末である移動機４（４−１，４−２，４−３，４−４，４−５，４−６）の各々が任意に存在可能である。各無線基地局制御局２は、図示していないコアネットワークに収容されており、自無線通信システムばかりでなく、コアネットワークに接続された他の通信システムのユーザ端末と各移動機４との通信を仲介する。
【００２３】
各無線基地局３は、図２に示すように、無線サービスエリアを複数（図示は３つ）のセクタａ，ｂ，ｒに分けて、各セクタ単位で各移動機４と無線（ＣＤＭＡ：ｃｏｄｅ  ｄｉｖｉｓｉｏｎ  ｍｕｌｔｉｐｌｅ  ａｃｃｅｓｓ、符号分割多元接続方式）により接続される。
【００２４】
図３は本発明の無線基地局の一実施の形態を示すブロック構成図である。図３において本例の無線基地局３は、自無線基地局を監視、制御する中央監視制御部３０と、上位局である無線基地局制御局２と有線ネットワーク２１を介して通信を行う回線監視制御部３１と、ある無線周波数で移動機４との無線区間の信号送受信を行う複数の無線送受信機３２（３２−１〜３２−ｍ）と、無線送受信機３２が送受信を行う無線区間のための無線周波数信号（ＣＤＭＡ方式信号）と無線基地局制御局２と接続している有線区間のための信号（ベースバンド信号）との相互間の信号変換（変復調：拡散・逆拡散）を行う無線通信モデムを有する複数の信号変換部３３（３３−１〜３３−ｎ）と、上記無線送受信機３２（３２−１〜３２−ｍ）とは別の周波数をカバーする複数の無線送受信機３４（３４−１〜３４−ｍ）と、これらの無線送受信機３４（その周波数）に対応した複数の信号変換部３５（３５−１〜３５−ｎ）と、自基地局内各部信号を監視する保守管理制御部３６と、自基地局内の各種共通データを格納するための共通メモリ部３７と、自基地局内の各種共通データ（運用パラメータ）や制御プログラムを記憶するためのシステムデータメモリ部（以下、ＳＤＭ部と略記）３８を備えている。
【００２５】
中央監視制御部３０、回線監視制御部３１、無線送受信機３２（３２−１〜３２−ｍ），３４（３４−１〜３４−ｍ）、信号変換部３３（３３−１〜３３−ｎ），３５（３５−１〜３５−ｎ）、及び保守管理制御部３６は、それぞれカード形式で構成されている。すなわち、各カードは、プリント配線基板上に各種電子部品を搭載して構成されており、さらに、そのプリント配線基板の一端に、基地局本体側のコネクタ（バックボード）と接続するためのコネクタを設けてある。カードの動作に必要な、電源供給や、外部回路との入出力信号の送受信は、これらバックボード及びコネクタを介して行われる。バックボードに対しカードを挿抜することにより、カード交換を容易に行うことができる。各カードには、固有のカード番号が割当てられており、このカード番号により識別可能である。
【００２６】
無線送受信機３２（３２−１〜３２−ｍ），３４（３４−１〜３４−ｍ）は、セクタ（例えば、３セクタ）及び無線周波数（例えば、２周波数）対応にそれぞれ設けられる。無線送受信機３２，３４と移動機４との間の無線インタフェース信号は、ＣＤＭＡ方式の信号であり、（１）基地局（セクタ）を識別するための「パイロット信号」、（２）移動機が基地局との同期を取るための「同期信号」、（３）基地局が移動機を制御するための「下り制御信号」、（４）移動機が基地局へアクセスするための「上り制御信号」、（５）通話を行うための「通話チャネル信号」等がある。
【００２７】
各信号変換部３３（３３−１〜３３−ｎ），３５（３５−１〜３５−ｎ）のカードは同一の構成であり、図４に、その内部構成の一例を示す。
【００２８】
図４において、本例の信号変換部は、ＣＤＭＡ方式信号の変復調（拡散・逆拡散）を行う複数（図示は５個）の無線通信モデム３３０（３３０−１〜３３０−ｎ）と、各種データを記憶するためのデータメモリ部３３１とを有している。
【００２９】
データメモリ部３３１には、自信号変換部の各無線通信モデムが受信したフレームの内容と比較するための障害検出比較データ３３２と、呼接続終了までに受信した総フレーム数のうち障害検出比較データと一致したフレーム数の割合により該当モデムに障害か起きているか判断するためのモデム障害検出しきい値３３３と、受信フレーム数の総数をカウントするための各無線通信モデムごとの総受信フレーム数３３４と、上記障害検出比較データ３３２と一致したフレーム数をカウントするための各無線通信モデムごとの障害検出フレーム数３３５等のデータが格納される。
【００３０】
複数の無線通信モデム３３０（３３０−１〜３３０−ｎ）は、無線区間用の信号に対してはコード（符号）分割多重方式によりカスケード接続されており、３セクタ分の無線送受信機３２，３４と接続可能である。なお、障害が発生した無線通信モデムはバイパスすることができる。有線区間用の信号に対しては、共通の信号線あるいはメモリを介して中央監視制御部３０あるいは回線監視制御部３１と接続され、別々のタイミングで送受信される。
【００３１】
各無線通信モデム３３０は、あるセクタ及びある周波数に対応した無線送受信機３２，３４を通して、ある移動機４（ユーザ）に割当てられる。ユーザに通話チャネルを割当てる場合、ユーザ毎に割当てるコードを下り制御チャネルにて通知する。なお、パイロットチャネル、同期チャネル、上り制御チャネル信号、及び下り制御チャネルの各信号は、全ユーザとも共通である。各無線通信モデム３３０は、割当てられたユーザに対応したコードを用いてユーザ宛の信号の拡散を行い、拡散した信号を加算した上で無線インタフェースに送信し、無線インタフェースから受信した信号を該当コードで逆拡散し、該当ユーザからの信号を抽出する。
【００３２】
ここで、各信号変換部３３，３５を通る移動機４に対する信号の流れを説明する。「上り制御信号」，「下り制御信号」は、「無線基地局制御局‐回線監視制御部‐中央監視制御部‐信号変換部‐無線送受信機‐移動機」となる。「通話チャネル信号」に関しては、「無線基地局制御局‐回線監視制御部‐信号変換部‐無線送受信機‐移動機」の流れになる。「パイロット信号」，「同期信号」は、信号変換部で作られ、「信号変換部‐無線送受信機‐移動機」の流れになる。
【００３３】
１つの信号変換部３３，３５には、例えば、１６個の無線通信モデム３３０が搭載可能である。また、１つの無線送受信機３２，３４は、例えば、最大８枚（カード）の信号変換部３３，３５が接続可能である。
【００３４】
保守管理制御部３６は、自無線基地局のハードウェア及びソフトウェアの保守管理、デバッグをおこなうため、基地局内で流れている信号をモニタする機能、外部のメモリ・フラッシュ・カードの内容をＳＤＭ部３８（現用系ＳＤＭ３８１，待機系ＳＤＭ３８２）へ書き込み、吸い上げを行う機能、無線インタフェースの信号をモニタする擬似送受信機能等を有している。保守管理制御部３６は、これらの機能を１つのカードで実現しても良いし、機能ごとに異なるカードで実現しても良い。
【００３５】
共通メモリ部３７には、中央監視制御部３０が管理している信号変換部３３（３３−１〜３３−ｎ），３５（３５−１〜３５−ｎ）に搭載されている無線通信モデム３３０（３３０−１〜３３０−ｎ）の状態を管理している使用可能無線通信モデム群情報３７１と、カード単位に使用不可となった無線通信モデムをカウントしておくカード別使用不可モデム数３７２と、無線通信モデム障害を検出した場合に行うリセットのしきい値を保存しておくための最大リセット回数しきい値３７３と、無線通信モデム単位でリセット回数を保存しておくためのモデム別リセット回数３７４と、カード単位で使用不可となった無線通信モデムの総数がしきい値を超えた場合に保守者にカード交換を促すためのカード交換用報告しきい値３７５等のデータが格納される。
【００３６】
ＳＤＭ部３８は、各信号変換部３３（３３−１〜３３−ｎ），３５（３５−１〜３５−ｎ）のモデム障害検出しきい値３３３や共通メモリ部３７のカード交換用報告しきい値３７５等の値をフレキシブルに変更できるようにするための運用パラメータや、無線基地局を構成する各カード（中央監視制御部、回線監視制御部、無線送受信機、信号変換部、及び保守管理制御部）の制御プログラムを記憶する、現用系ＳＤＭ３８１及び待機系ＳＤＭ３８２とを有する。
【００３７】
次に、図１〜図４と共に、図５〜図８を参照して本実施の形態の動作について詳細に説明する。図５は無線基地局における無線通信モデムの障害フレーム測定時の動作フローを示すフロチャートであり、図６は無線通信モデム障害検出時の動作フローを示すフロチャートである。図７は無線基地局における無線通信モデムの障害検出から復旧するまでの各部信号送受信を示すシーケンス図であり、図８は無線通信モデムの障害検出に使用される各種パラメータを更新する際の各部信号送受信を示すシーケンス図である。
【００３８】
システム運用の開始前に予め、各無線基地局３（３−１〜３−３）の現用系ＳＤＭ３８１と待機系ＳＤＭ３８２とに、外部より、同じ版数の制御プログラムと、無線基地局毎に異なる運用パラメータとを書き込んでおく。
【００３９】
各無線基地局３において、自無線基地局を監視、制御する中央監視制御部３０は、現用系ＳＤＭ３８１に書き込まれている上記制御プログラムにて、無線基地局制御局２（２−１〜２−２）と有線ネットワークを介して通信を行う回線監視制御部３１、無線区間の信号送受信を行う無線送受信機３２（３２−１〜３２−ｍ），３４（３４−１〜３４−ｍ）、無線区間と有線区間の信号変換処理を行う信号変換部３３（３３−１〜３３−ｎ），３５（３５−１〜３５−ｎ）、保守管理制御部３６を立ち上げ、運用を開始する（図７のステップＳ５０１〜Ｓ５０２、図８のステップＳ６０１〜Ｓ６０２、Ｓ６２５〜Ｓ６２６）。
【００４０】
各無線基地局３では、立ち上げ完了後、中央監視制御部３０が現用系ＳＤＭ３８１から無線通信モデム障害検出のための運用パラメータを読み出し、共通メモリ部３７へ、使用可能無線通信モデム群情報３７１と、最大リセット回数しきい値３７３と、カード交換用報告しきい値３７５と、信号変換部に対する障害検出比較データ３３２及びモデム障害検出しきい値３３３として展開する（ステップＳ５０３〜Ｓ５０４、Ｓ６０３〜Ｓ６０４、Ｓ６２７〜Ｓ６３８）。
【００４１】
中央監視制御部３０はさらに、共通メモリ部３７へ展開したパラメータのうち信号変換部に対する無線通信モデム障害検出のための運用パラメータ（障害検出比較データ３３２、モデム障害検出しきい値３３３）を各信号変換部３３（３３−１〜３３−ｎ），３５（３５−１〜３５−ｎ）に送信し設定を要求する。各信号変換部３３，３５は受信した障害検出比較データ３３２、モデム障害検出しきい値３３３をデータメモリ部３３１に格納すると設定応答信号を中央監視制御部３０へ送信する（ステップＳ５０５〜Ｓ５０６、Ｓ６０５〜Ｓ６０７、Ｓ６２９〜Ｓ６３０）。
【００４２】
ここで、以降（障害検出から復旧まで）の動作を、無線基地局３−１の場合を例として説明する。
【００４３】
無線基地局３−１の回線監視制御部３１が、上位の無線基地局制御局２−１から有線ネットワークを介して呼接続割当て要求信号を受信すると、受信した信号を中央監視制御部３０へ送信する（図７のステップＳ５０７）。
【００４４】
中央監視制御部３０は上記呼接続割当て要求を受付けると共通メモリ部３７に展開した使用可能無線通信モデム群情報３７１の中から空き無線通信モデムを選択し、使用可能無線通信モデム群情報３７１の該当無線通信モデムの状態を使用中とし、次回割当て候補から削除する。中央監視制御部３０はまた、該当する無線通信モデムを搭載している信号変換部、例えば信号変換部３３−１へ無線通信モデム割当て要求信号を送信する（Ｓ５０８）。
【００４５】
信号変換部３３−１は、中央監視制御部３０からの無線通信モデム割当て要求信号で受信したパラメータ類を指定された無線通信モデム、例えば無線通信モデム３３０−３に設定し、中央監視制御部３０へ無線通信モデム割当て応答を送信する（Ｓ５０９）。
【００４６】
中央監視制御部３０は、上記無線通信モデム割当て応答を受信したら、回線監視制御部３１へ呼接続割当て応答信号を送信し、回線監視制御部３１は受信した応答信号を有線ネットワークを介して無線基地局制御局２−１へ送信する（Ｓ５１０）。
【００４７】
一方、信号変換部３３−１は、無線通信モデム３３０−３の割当て応答送信後、対応する無線送受信機、例えば無線送受信機３２−１を通して対応する移動機、例えば移動機４−１（ユーザ）に対する無線チャネル（通話チャネル）の受信を開始するとともに、無線通信モデム３３０−３の障害測定を開始する（Ｓ５１１）。
【００４８】
図５を参照して、無線通信モデム障害測定時の動作フローを説明する。信号変換部３３−１は、無線通信モデム割当て要求を受信すると（Ｓ４０１）、無線通信モデム解放要求を受信するまで（Ｓ４０２）、以下の動作を繰り返す。すなわち、信号変換部３３−１は、各無線通信モデムで無線チャネルのフレームを受信する度に（Ｓ４０３）、データメモリ部３３１に格納された障害検出比較データ３３２（例えば、オール「０」データ）と比較し（Ｓ４０４）、障害検出比較データと不一致の場合（正常とみなせる場合）には、該当無線通信モデムの総受信フレーム数３３４のみカウントアップ（初期値は０、計数値（カウント値）を＋１）する（Ｓ４０６）。障害検出比較データと一致した場合（障害の場合）には、該当無線通信モデムの障害検出フレーム数３３５と送受信フレーム数３３４とをそれぞれカウントアップ（初期値は０、計数値を＋１）する（Ｓ４０５〜Ｓ４０６）。
【００４９】
その後、無線基地局制御局２−１から有線ネットワークを介して呼接続解放要求信号を回線監視制御部３１が受信すると、受信した信号を中央監視制御部３０へ送信する（Ｓ５１２）。
【００５０】
中央監視制御部３０は、呼接続解放要求信号を受付けると、該当無線通信モデム３３０−３を用いての呼接続が継続するのか、もしくは呼接続が終了するのかを判断し、呼接続が継続するのであれば前記共通メモリ部に展開してある前記無線通信モデム群情報３７１の該当無線通信モデム３３０−３の状態を使用中のままとし、呼接続終了であれば該当無線通信モデム３３０−３の状態を未使用として次回の無線通信モデムの割当て候補に登録する。呼接続終了の場合、中央監視制御部３０はさらに、該当無線通信モデム３３０−３を搭載している信号変換部３３−１へ無線通信モデム解放要求信号を送信する（Ｓ５１３）。
【００５１】
信号変換部３３−１は、中央監視制御部３０から受信した上記無線通信モデム解放要求信号で指定されたセクタでの送信を停止して、中央監視制御部３０へ無線通信モデム解放応答信号を返す（Ｓ５１４）。
【００５２】
中央監視制御部３０は、無線通信モデム解放応答信号を受信したら、回線監視制御部３１へ呼接続解放応答信号を送信し、回線監視制御部３１は、中央監視制御部１１から受信した信号を有線ネットワークを介して無線基地局制御局２−１へ送信する（Ｓ５１５）。
【００５３】
一方、信号変換部３３−１は、上記無線通信モデム解放応答信号送信後、該当無線通信モデム３３０−３を用いての呼接続が継続中か、全て終了したかを判断し、呼接続終了であれば前記無線通信モデムの障害検出判定を行う（Ｓ５１６）。
【００５４】
図６を参照して、無線通信モデム障害検出時の動作フローを説明する。信号変換部３３−１は、無線通信モデム障害測定処理で計測した無線通信モデムごとのの総受信フレーム数３３４に対する障害検出フレーム数３３５の割合を計算し（Ｓ４５１）、モデム障害検出しきい値３３３（例えば９０％、なお、このしきい値をモデムごとに異ならせることもできる）との比較を行う（Ｓ４５２）。比較した結果、障害検出しきい値３３３未満であれば、無線通信モデム障害復旧処理（中央監視制御部３０への無線通信モデム障害検出報告）は行わず、障害検出しきい値３３３以上であれば、該当無線通信モデムに障害が発生したとして中央監視制御部３０へ無線通信モデム障害検出報告を行い（Ｓ４５３）、該当無線通信モデムの障害検出フレーム数３３５と総受信フレーム数３３４とを「０」クリアし、初期値に戻しておく（Ｓ４５４、Ｓ４５５）。また、障害発生無線通信モデムに対してバイパスモードを設定し、カスケード接続からバイパスさせる。
【００５５】
中央監視制御部３０は、信号変換部３３−１から無線通信モデム３３０−３に対する上記無線通信モデム障害検出報告を受信すると（Ｓ５１７（Ｓ４５３））、共通メモリ部３７のモデム別リセット回数３７５のうちの該当信号変換部３３−１の該当無線通信モデム３３０−３のリセット回数を確認し、最大リセット回数しきい値３７３（例えば、３回）を超えているか判定する。すなわち、モデム別リセット回数３７５のうちの該当信号変換部３３−１の該当無線通信モデム３３０−３のリセット回数をカウントアップ（初期値は０、計数値を＋１）し、カウントアップ後のリセット回数が最大リセット回数しきい値３７３を超えているかチェックする（Ｓ５１８）。
【００５６】
ステップＳ５１８の処理で、最大リセット回数しきい値３７３を超えていなければ、該当無線通信モデム３３０−３を搭載している該当信号変換部３３−１に対して無線通信モデムリセット要求信号を送信し（Ｓ５１９）、それと共に、共通メモリ部３７に展開している使用可能通信モデム群情報３７１の該当信号変換部３３−１の該当無線通信モデム３３０−３と該当無線通信モデムより前（カスケード接続における前）に接続されている無線通信モデム３３０−１〜３３０−２の使用状態を使用不可状態にして、次回割当て候補から削除する（Ｓ５２０）。なお、該当無線通信モデム３３０−３より前に接続されている無線通信モデム３３０−１〜３３０−２の使用状態を使用不可状態にする理由は、無線通信モデム３３０−３のリセット時にバイパスモードの設定がはずれて無線通信モデム３３０−１〜３３０−２の信号が乱される場合を考慮したものであり、リセット対象の無線通信モデム３３０−３をカスケード接続から確実にバイパスできるように構成した場合は、無線通信モデム３３０−３より前に接続されている無線通信モデム３３０−１〜３３０−２の使用可能通信モデム群情報３７１における使用状態を変更する必要はない。
【００５７】
信号変換部３３−１は、上記無線通信モデムリセット要求信号を受信すると、該当無線通信モデム３３０−３をリセットし（Ｓ５２１）、リセット完了後、中央監視制御部３０へ無線通信モデムリセット応答信号を返す（Ｓ５２２）。
【００５８】
中央監視制御部３０は、上記無線通信モデムリセット応答信号を受信すると、共通メモリ部３７に展開してある使用可能無線通信モデム群情報３７１の該当信号変換部３３−１の該当無線通信モデム３３０−３（及びその前に接続されている無線通信モデム３３０−１〜３３０−２）の状態を使用可状態にし、次回割当て候補に再登録する（Ｓ５２３）。
【００５９】
ステップＳ５１８の処理で、共通メモリ部３７のモデム別リセット回数３７５のうちの該当信号変換部３３−１の該当無線通信モデム３３０−３のリセット回数が最大リセット回数しきい値３７３（３回）を超えている場合には、中央監視制御部３０は、共通メモリ部３７に展開している使用可能無線通信モデム群情報３７１の該当無線通信モデムの状態を使用不可状態にし、カード別使用不可モデム数３７２のうちの該当信号変換部３３−１の使用不可モデム数をカウントアップ（初期値は０、計数値を＋１）する（Ｓ５２４）。
【００６０】
中央監視制御部３０は続いて、カウントアップ後のカード別使用不可モデム数３７２のうちの該当信号変換部３３−１の使用不可モデム数が、カード交換用報告しきい値３７５（例えば、９個）を超えているかチェックし（Ｓ５２５）、カード交換用報告しきい値３７５を超えている場合には、回線監視制御部３１へ該当信号変換部３３−１のカード番号を指定したカード交換通知報告信号を送信する。
【００６１】
回線監視制御部３１は、中央監視制御部３０から受信したカード交換通知報告信号を有線ネットワークを介して無線基地局制御局２−１へ送信し（Ｓ５２６）、無線基地局制御局２−１は、保守監視卓１へ、該当無線基地局３−１における指定されたカード番号のカードに対するカード交換用のメッセージを出力する。保守監視卓１は、このメッセージを可視表示して、保守者が、交換すべき信号変換部のカード（本例の場合、信号変換部３３−１）を容易に認識できるようにする。
【００６２】
ステップＳ５２５の処理で、カード別使用不可モデム数３７２のうちの該当信号変換部３３−１の使用不可モデム数がカード交換用報告しきい値３７５を超えていない場合には、カード交換用しきい値３７５を超えるまで、カード交換通知報告信号に関して何も制御は行わない。
【００６３】
次に、各無線基地局３（３−１〜３−３）で使用中の運用パラメータを更新する場合の動作を説明する。この場合も、無線基地局３−１を例として説明する。
【００６４】
保守者が保守監視卓１を制御することにより、無線基地局制御局２−１から有線ネットワークを介して無線基地局３−１の回線監視制御部３１へ局データダウンロード開始要求信号を送信する。回線監視制御部３１は受信した信号を中央監視制御部３０へ送信する（図８のステップＳ６０８）。
【００６５】
中央監視制御部３０は、局データダウンロード開始要求を受付けると、ＳＤＭ部３８の待機系ＳＤＭ３８２を書き込み許可状態にし（Ｓ６０９）、回線監視制御部３１を通して無線基地局制御局２−１へ局データダウンロード開始応答信号を返す（Ｓ６１０）。
【００６６】
中央監視制御部３０は、引き続き回線監視制御部３１を通して無線基地局制御局２−１から送信されてくる局データダウンロード要求信号のデータ内容を待機系ＳＤＭ３８２へ書き込み、書き込みが終了したら局データダウンロード応答信号を回線監視制御部３１を通して無線基地局制御局２−１へ送信することを繰り返す（Ｓ６１１〜Ｓ６１６）。
【００６７】
中央監視制御部３０は、回線監視制御部３１を通して無線基地局制御局２−１から局データダウンロード終了要求信号を受付けたら（Ｓ６１７）、待機系ＳＤＭ３８２を書き込み禁止状態に戻し（Ｓ６１８）、回線監視制御部３１を通して無線基地局制御局２−１へ局データダウンロード終了応答信号を返す（Ｓ６１９）。
【００６８】
中央監視制御部３０は、上記局データダウンロード終了応答信号送信後、待機系ＳＤＭ３８２に書き込んだ更新運用パラメータを読み出し、現用系ＳＤＭ３８１へ更新運用パラメータを書き込み、現用系ＳＤＭ３８１と待機系ＳＤＭ３８２の内容を同じにする（Ｓ６２０〜Ｓ６２１）。
【００６９】
保守者は運用パラメータの更新タイミングを見計り、保守監視卓１を制御して無線基地局３−１に対する運用パラメータの更新要求を行うと、無線基地局制御局２−１は、保守監視卓１からの運用パラメータ更新要求に従い、無線基地局３−１へ運用パラメータ更新要求信号を送信する。
【００７０】
無線基地局３−１（中央監視制御部３０、回線監視制御部３１）は、上記運用パラメータ更新要求信号を受付けると（Ｓ６２２）、無線基地局制御局２−１へ運用パラメータ更新応答を返し（Ｓ６２３）、自無線基地局３−１の再開（立ち上げ）処理を行い（６２４）、運用パラメータの更新を行う（Ｓ６２５〜Ｓ６３０）。
【００７１】
【発明の効果】
本発明によれば、呼接続失敗時の内容を解析するのではなく、呼接続中に受信する受信フレーム内容を判断することにより無線通信モデムの障害監視を行っているので、呼接続終了時に無線通信モデムに障害が起きているか判断でき、無線通信モデムの障害による呼接続不可状態が発生した場合に該当無線通信モデム復旧までの時間を短くすることができる。
【００７２】
また、無線通信モデムの障害が復旧しなかった場合に該当無線通信モデムを割当て可能なリソース群から外すことで、無線通信モデムの障害による呼接続失敗を減らすことができる。
【００７３】
さらに、障害が起きている無線通信モデムが搭載されたカードを特定してカードの交換を促すメッセージを保守者へ通知することにより、カード交換を迅速に行うことができ、無線基地局が保有している無線リソース数の減少を最小限にすることができる。
【図面の簡単な説明】
【図１】本発明の移動通信システムの一実施の形態を示すシステム構成図である。
【図２】無線基地局における無線区間のセクタ構成の一例を示す図である。
【図３】本発明の無線基地局の一実施の形態を示すブロック構成図である。
【図４】図３に示す信号変換部内部構成の一例を示す図である。
【図５】無線基地局における無線通信モデムの障害フレーム測定時の動作フローを示す図である。
【図６】無線基地局における無線通信モデム障害検出時の動作フローを示す図である。
【図７】無線基地局における無線通信モデムの障害検出から復旧するまでの各部信号送受信シーケンスを示す図である。
【図８】無線基地局における無線通信モデムの障害検出に使用される各種パラメータを更新する際の各部信号送受信シーケンスを示す図である。
【符号の説明】
１    保守監視卓
２（２−１，２−２）    無線基地局制御局
３（３−１，３−２，３−３）    無線基地局
４（４−１，４−２，４−３，４−４，４−５，４−６）    移動機
３０    中央監視制御部
３１    回線監視制御部
３２（３２−１〜３２−ｍ），３４（３４−１〜３４−ｍ）    無線送受信機
３３（３３−１〜３３−ｎ），３５（３５−１〜３５−ｎ）    信号変換部
３６    保守管理制御部
３７    共通メモリ部
３３０（３３０−１〜３３０−ｎ）    無線通信モデム
３３１    データメモリ部
３８１    現用系ＳＤＭ
３８２    待機系ＳＤＭ
【図１】
0003902509.tif 000002
【図２】
0003902509.tif 000003
【図３】
0003902509.tif 000004
【図４】
0003902509.tif 000005
【図５】
0003902509.tif 000006
【図６】
0003902509.tif 000007
【図７】
0003902509.tif 000008
【図８】
0003902509.tif 000009